(57)【要約】【課題】金属製線材を用いた場合に発生する宝石もしくは宝飾装飾素材との摩擦による金属製線材の摩耗を軽減して、宝石もしくは宝飾装飾素材表層の貫通穴周辺が黒く汚れる問題を発生しないようにすることにある。【解決手段】金属製線材表層に、前処理で電解研磨もしくは化学研磨等を十分に行った後に、密着性の優れた硬質な貴金属めっきを施すことで、宝石もしくは宝飾装飾素材との摩擦による金属製線材の摩耗を軽減せしめ、宝石もしくは宝飾装飾素材表層の貫通穴周辺が黒く汚れる問題を解消することが可能となった。【選択図】なし【特許請求の範囲】
【請求項１】
ネックレス、ブレスレットおよび数珠（念珠）に代表される環状の装身具および装飾品において、密着性の優れた硬質な貴金属めっき被覆を施すことで、宝石もしくは宝飾装飾素材との摩耗を軽減した金属製線材。
【請求項２】
貫通穴の開いた宝石もしくは宝飾装飾素材に請求項１による金属製線材を通し製作したネックレス、ブレスレットおよび数珠（念珠）に代表される環状の装身具および装飾品。
【発明の詳細な説明】
【技術分野】
【０００１】
本発明は、ネックレス、ブレスレットおよび数珠（念珠）に代表される環状の装身具および装飾品に用いる金属製線材に関するものである。
【背景技術】
【０００２】
従来より、あこや真珠や黒蝶真珠、白蝶真珠、淡水真珠、マベ真珠、水晶、オニキスなどの宝石、またはキュービックジルコニアやクリスタルガラス、石英、貝殻などの宝飾装飾素材に、それぞれ貫通穴を開けて、これらの貫通穴に繊維からなる糸を通して、ネックレス、ブレスレットおよび数珠（念珠）に代表される環状の装身具および装飾品が製作されている。
【０００３】
繊維からなる糸は経年変化と使用による損耗が早く、糸の破断による問題が生じる可能性があり、これを回避する為には、使用者は定期的な糸の交換を行う必要がある。この繊維からなる糸の問題を解消したものとして、実開平０７−００５４０９号や特開２００１−０３７６１５号、特開２００１−１２８８３５号などのようにステンレスワイヤーなどの金属製線材を代用品として採用したものが報告されている。しかしネックレス、ブレスレットおよび数珠（念珠）に代表される環状の装身具および装飾品の用途では、金属製線材から錆が発生し易く支障が起こりやすい。また装着者の衣類等を錆が移り汚す危険性も有るため、一般的には錆びにくいステンレスを用いる場合が多い。
【０００４】
ステンレスワイヤーなどの金属製線材を用いた場合は、繊維からなる糸と違い組成変形で曲げた跡のクセ残りの問題がある。これを解決するため、特開２００５−２２４４１３号のように形状記憶合金を用いたものも提案されている。
【０００５】
ステンレスワイヤーや形状記憶合金、超弾性形状記憶合金などの金属製線材を用いた場合は、取り付けた上記のような宝石もしくは宝飾装飾素材との摩擦により金属製線材が削られて、屑が発生して取り付けた宝石もしくは宝飾装飾素材表層の貫通穴周辺が黒く汚れる問題が発生する。
【０００６】
なお黒く汚れる発生機構については、報告者は前記のような原因によるものと推論しているが、詳細な解明は学術的な研究を必要とするものと考える。いずれにせよ、黒く汚れる問題は見た目の外観を重視する装身具および装飾品としては商品価値を著しく下げる要素であり、この黒い汚れは装着者の衣類等に移り汚す危険性も有るため、解決しなければならない問題である。
【特許文献１】実開平０７−００５４０９号公報
【特許文献２】特開２００１−０３７６１５号公報
【特許文献３】特開２００１−１２８８３５号公報
【特許文献４】特開２００５−２２４４１３号公報
【発明の開示】
【発明が解決しようとする課題】
【０００７】
解決しようとする問題点は、ステンレスワイヤーや形状記憶合金、超弾性形状記憶合金などの金属製線材を用いた場合に発生する宝石もしくは宝飾装飾素材との摩擦による金属製線材の摩耗を軽減させて、宝石もしくは宝飾装飾素材表層の貫通穴周辺が黒く汚れる問題を発生しないようにすることにある。
【課題を解決するための手段】
【０００８】
本発明は、用いるステンレスワイヤーや形状記憶合金、超弾性形状記憶合金などの金属製線材表層に、前処理で電解研磨もしくは化学研磨等を十分に行った後に、密着性の優れた方法で硬質な貴金属めっきを行うことで、宝石もしくは宝飾装飾素材との摩擦による金属製線材の摩耗を軽減させることを最も主要な特徴とする。
【０００９】
これにより宝石もしくは宝飾装飾素材との摩擦による金属製線材の摩耗が軽減され、宝石もしくは宝飾装飾素材表層の貫通穴周辺が黒く汚れない状態となっている。
【００１０】
本発明で用いることが可能な硬質な貴金属めっきとしては、硫酸ロジウムめっきや燐酸ロジウムめっき、または硫酸ロジウムおよび燐酸ロジウムの複合めっき、ロジウム主体のロジウム合金めっき、ルテニウムめっき、ルテニウムめっき、ルテニウム主体のルテニウム合金めっき、金めっき、金主体の金合金めっき、パラジウムめっき、パラジウム主体のパラジウム合金めっき、プラチナめっき、プラチナ主体のプラチナ合金めっきなどがある。本発明で現状最適な硬質な貴金属めっきとしては、燐酸ロジウムめっきである。
【００１１】
本発明で用いることが可能な金属製線材としては、材質としてはステンレスや形状記憶合金、超弾性形状記憶合金などが代表的なもので、更にその形態としては金属撚線や金属チューブ、金属撚線チューブ、複数の金属線を組み合わせた螺旋密巻状の撚線、複数の金属線を組み合わせた螺旋密巻状の中空撚線、金属コイル線などが挙げられる。
【発明の効果】
【００１２】
本発明のステンレスワイヤーや形状記憶合金、超弾性形状記憶合金などの金属製線材は、表層に密着性の優れた硬質な貴金属めっきを施してあるため、あこや真珠や黒蝶真珠、白蝶真珠、淡水真珠、マベ真珠、水晶、オニキスなどの宝石、またはキュービックジルコニアやクリスタルガラス、石英、貝殻などの宝飾装飾素材との摩擦による摩耗に強く、耐久性が優れ実用上ほとんど金属製線材の摩耗を軽減することが可能となった。結果、ネックレス、ブレスレットおよび数珠（念珠）に代表される環状の装身具および装飾品を製作しても、宝石もしくは宝飾装飾素材表層の貫通穴周辺が黒く汚れる問題は解消された。
【発明を実施するための最良の形態】
【００１３】
複数の超弾性形状記憶合金線を組み合わせた螺旋密巻状の中空撚線である金属製線材を用意し、これに密着性の優れた硬質な燐酸ロジウムめっきを施す。そしてあこや真珠や黒蝶真珠、白蝶真珠、淡水真珠、マベ真珠、水晶、オニキスなどの宝石、またはキュービックジルコニアやクリスタルガラス、石英、貝殻などの宝飾装飾素材の貫通穴に通して、ネックレス、ブレスレットおよび数珠（念珠）に代表される環状の装身具および装飾品を製作する。
【実施例１】
【００１４】
超弾性形状記憶合金製の直径０．１ミリの線材を必要な長さに裁断したものを１２本用意し、これを前処理で電解研磨を十分に行った後に、適宜用意した燐酸ロジウムめっき装置を用いて、全面むら無く密着性の優れた硬質な燐酸ロジウムめっきを施した。また別に、めっきを施さないままのものも同様に１２本用意した。
【００１５】
この燐酸ロジウムめっき済みの超弾性形状記憶合金製直径０．１ミリ線材を、１２本束ねて外径１ミリ以内に収まるように撚線を製作した。また別に、燐酸ロジウムめっきを行っていない超弾性形状記憶合金製直径０．１ミリ線材を、１２本束ねて外径１ミリ以内に収まるように撚線を同様に製作した。
【００１６】
この燐酸ロジウムめっき済みの超弾性形状記憶合金製撚線を糸の代わりに、適宜必要個数の貫通穴を開けたあこや真珠に通して、末端両端には別途用意した接続具を取り付け、あこや真珠のネックレスを製作した。また別に、燐酸ロジウムめっきを行っていない超弾性形状記憶合金製撚線を糸の代わりに、適宜必要個数の貫通穴を開けたあこや真珠に通して、末端両端には別途用意した接続具を取り付け、あこや真珠のネックレスを同様に製作した。どちらも外観と装着感は超弾性形状記憶合金の効果もあり、通常の繊維糸では得られない適度の張りがある環状のあこや真珠ネックレスとなった。
【００１７】
この２本の超弾性形状記憶合金製撚線のめっき有無による仕様違いのあこや真珠ネックレスを用いて、実使用を想定した折り曲げや脱着等装着試験を行い比較を行った。
【００１８】
本発明を施していない、燐酸ロジウムめっきを行っていない超弾性形状記憶合金製撚線を用いたあこや真珠ネックレスでは、数百回繰り返すと真珠と真珠の間に見える各真珠の貫通穴周辺が黒く汚れてくる。この汚れは装着者の衣服に移り汚す危険性が高く、装身具としては望ましくない状態に陥った。
【００１９】
本発明を施した、燐酸ロジウムめっき済みの超弾性形状記憶合金製撚線を用いたあこや真珠ネックレスでは、数百回繰り返しても真珠と真珠の間に見える各真珠の貫通穴周辺が黒く汚れるようなことは発生せず、装身具としては望ましい状態を維持し続けていた。
【実施例２】
【００２０】
超弾性形状記憶合金製の直径０．１ミリの線材を必要な長さに裁断したものを２４本用意し、１２本ごとに束ねて外径１ミリ以内に収まるように撚線２本を製作した。
【００２１】
製作した超弾性形状記憶合金製撚線の１本を前処理で電解研磨を十分に行った後に、適宜用意した燐酸ロジウムめっき装置を用いて、全面むら無く密着性の優れた硬質な燐酸ロジウムめっきを施した。残りの超弾性形状記憶合金製撚線の１本は、そのままの状態で次の工程に用いることにした。
【００２２】
この燐酸ロジウムめっき済みの超弾性形状記憶合金製撚線を糸の代わりに、適宜必要個数の貫通穴を開けたあこや真珠に通して、末端両端には別途用意した接続具を取り付け、あこや真珠のネックレスを製作した。また別に、燐酸ロジウムめっきを行っていない超弾性形状記憶合金製撚線を糸の代わりに、適宜必要個数の貫通穴を開けたあこや真珠に通して、末端両端には別途用意した接続具を取り付け、あこや真珠のネックレスを同様に製作した。どちらも外観と装着感は超弾性形状記憶合金の効果もあり、通常の繊維糸では得られない適度の張りがある環状のあこや真珠ネックレスとなった。
【００２３】
この２本の超弾性形状記憶合金製撚線のめっき有無による仕様違いのあこや真珠ネックレスを用いて、実使用を想定した折り曲げや脱着等装着試験を行い比較を行った。
【００２４】
本発明を施していない、燐酸ロジウムめっきを行っていない超弾性形状記憶合金製撚線を用いたあこや真珠ネックレスでは、数百回繰り返すと真珠と真珠の間に見える各真珠の貫通穴周辺が黒く汚れてくる。この汚れは装着者の衣服に移り汚す危険性が高く、装身具としては望ましくない状態に陥った。
【００２５】
本発明を施した、燐酸ロジウムめっき済みの超弾性形状記憶合金製撚線を用いたあこや真珠ネックレスでは、数百回繰り返しても真珠と真珠の間に見える各真珠の貫通穴周辺が黒く汚れるようなことは発生せず、装身具としては望ましい状態を維持し続けていた。
【実施例３】
【００２６】
超弾性形状記憶合金製の直径０．２ミリの線材を用いて、外径１ミリ以内に収まるようにコイル巻きにした線材を製作した。そこから必要な長さに裁断し、超弾性形状記憶合金製コイル線を２本を製作した。
【００２７】
製作した超弾性形状記憶合金製コイル線の１本を前処理で電解研磨を十分に行った後に、適宜用意した燐酸ロジウムめっき装置を用いて、全面むら無く密着性の優れた硬質な燐酸ロジウムめっきを施した。残りの超弾性形状記憶合金製コイル線の１本は、そのままの状態で次の工程に用いることにした。
【００２８】
この燐酸ロジウムめっき済みの超弾性形状記憶合金製コイル線を糸の代わりに、適宜必要個数の貫通穴を開けたあこや真珠に通して、末端両端には別途用意した接続具を取り付け、あこや真珠のネックレスを製作した。また別に、燐酸ロジウムめっきを行っていない超弾性形状記憶合金製コイル線を糸の代わりに、適宜必要個数の貫通穴を開けたあこや真珠に通して、末端両端には別途用意した接続具を取り付け、あこや真珠のネックレスを同様に製作した。どちらも外観と装着感は超弾性形状記憶合金の効果もあり、通常の繊維糸では得られない適度の張りがあり、かつコイル線の効果で伸縮性のある環状のあこや真珠ネックレスとなった。
【００２９】
この２本の超弾性形状記憶合金製コイル線のめっき有無による仕様違いのあこや真珠ネックレスを用いて、実使用を想定した折り曲げや脱着等装着試験を行い比較を行った。
【００３０】
本発明を施していない、燐酸ロジウムめっきを行っていない超弾性形状記憶合金製コイル線を用いたあこや真珠ネックレスでは、数百回繰り返すと真珠と真珠の間に見える各真珠の貫通穴周辺が黒く汚れてくる。この汚れは装着者の衣服に移り汚す危険性が高く、装身具としては望ましくない状態に陥った。
【００３１】
本発明を施した、燐酸ロジウムめっき済みの超弾性形状記憶合金製コイル線を用いたあこや真珠ネックレスでは、数百回繰り返しても真珠と真珠の間に見える各真珠の貫通穴周辺が黒く汚れるようなことは発生せず、装身具としては望ましい状態を維持し続けていた。
【産業上の利用可能性】
【００３２】
一般には繊維による糸で製作されるようなアクセサリーや暖簾、旗、タペストリー、エンブレム等においても、あこや真珠や黒蝶真珠、白蝶真珠、淡水真珠、マベ真珠、水晶、オニキスなどの宝石、またはキュービックジルコニアやクリスタルガラス、石英、貝殻などの宝飾装飾素材との組み合わせだけでなく、有色ガラスやセラミックス、鉱石などとの組み合わせと金属製線材を用いる用途にも適用できる。